(57)【特許請求の範囲】
【請求項１】
第１の筐体と第２の筐体とがヒンジ部によって開閉自在に連結された折畳み式携帯通信機器において、
上記ヒンジ部は、ヒンジ軸と、上記第１の筐体に設けられて該ヒンジ軸が挿入される一対の第１ヒンジ軸挿入部と、上記第２の筐体に設けられて該第１ヒンジ挿入部の内側に配置された一対の第２ヒンジ軸挿入部とを備え、
上記ヒンジ軸は、軸本体と、外側軸部と、内側軸部とを備え、該外側軸部と内側軸部との少なくとも一方が上記軸本体を中心に回動自在に構成され、
上記内側軸部は、その内側に拡縮自在な係止爪を有し、該係止爪が第１及び第２ヒンジ軸挿入部に挿入されたのち、拡がってそのヒンジ側内側当接面が第２ヒンジ軸挿入部の第２挿入部側当接面に当接し、
上記外側軸部は、上記係止爪のヒンジ側内側当接面が第２ヒンジ軸挿入部当接面に当接した状態で、第１ヒンジ軸挿入部の第１挿入部側当接面に当接するヒンジ側外側当接面を有し、
上記第１ヒンジ軸挿入部は、樹脂成形品よりなり、該第１ヒンジ軸挿入部の半径方向の対向する位置には、半径方向内側に膨出し、上記第１挿入部側当接面が外側端部に形成された膨出部が一体に設けられ、
上記外側軸部の外周面には、上記膨出部が挿入されるように凹陥され、上記ヒンジ側外側当接面を外側壁面に有する外側軸部側凹部が形成され、
上記膨出部が上記外側軸部側凹部に挿入された状態で、外側軸部と第１ヒンジ軸挿入部とが回転不能となるように構成されており、
上記膨出部の上記第１挿入部側当接面には、上記第１挿入部側当接面とヒンジ側外側当接面との間の隙間の大きさよりも高く、先端が上記ヒンジ側外側当接面に当接し、該隙間の大きさに合わせて弾性変形する突起が一体に形成されている
ことを特徴とする折畳み式携帯通信機器。
【発明の詳細な説明】
【技術分野】
【０００１】
第１の筐体と第２の筐体とを開閉自在に連結した折畳み式携帯通信機器に関し、特にそのヒンジ部におけるガタツキ対策に関する。
【背景技術】
【０００２】
従来、折畳み式携帯通信機器は、第１の筐体と第２の筐体とがヒンジ部によって開閉自在に連結されている。そして、回転したり、摺動したりする部分はその軸方向に僅かな隙間をもって構成されている。このとき、軸方向の隙間が小さすぎると、回転したり、摺動したりするための抵抗になってしまう。一方、隙間が大きくなると、ガタツキの原因になってしまう。この軸方向の隙間を小さくすることが、回転動作時のガタツキを小さくすることにつながるが、製品を成す部品には、それぞれ寸法差があり、組立部品が多ければ多いほど全体の寸法差が大きくなる。そのため、寸法差が小さい部品を使用するのが望ましい。
【０００３】
しかし、寸法差が小さい部品であってもその個数が多くなると、製品を多量に製品化した場合、全体の軸方向の寸法差が大きくなり、ガタツキのあるものが発生する。
【０００４】
そこで、例えば特許文献１では、ケースとヒンジ部との間の隙間にヒンジスペーサを介装し、回転動作時のガタツキを防止している。
【特許文献１】特開２００３−２２７５１１号公報
【発明の開示】
【発明が解決しようとする課題】
【０００５】
しかし、上記特許文献１の発明では、ガタツキを防止するためにヒンジスペーサを別途設けなければならず、このことで部品点数が増加し、それに伴って組立工数が増加するという問題がある。また、同じ理由で、成形金型制作費が増加するという問題がある。
【０００６】
本発明は、かかる点に鑑みてなされたものであり、その目的とするところは、折畳み式携帯通信機器において、ヒンジ部の構成に工夫を加えることで、ヒンジ部を構成する組付部品の全体の軸方向の寸法差が大きくてもガタツキを小さく押さえる構造を提案しようとすることにある。
【課題を解決するための手段】
【０００７】
上記課題を解決するため、本発明の折畳み式携帯通信機器では、ヒンジ軸の軸方向の隙間を軽減するための突起を設けた。
【０００８】
具体的には、第１の発明では、第１の筐体と第２の筐体とがヒンジ部によって開閉自在に連結された折畳み式携帯通信機器を前提とする。
【０００９】
そして、上記ヒンジ部は、ヒンジ軸と、上記第１の筐体に設けられて該ヒンジ軸が挿入される一対の第１ヒンジ軸挿入部と、上記第２の筐体に設けられて該第１ヒンジ挿入部の内側に配置された一対の第２ヒンジ軸挿入部とを備え、
上記ヒンジ軸と第１ヒンジ軸挿入部との当接面又は上記ヒンジ軸と第２ヒンジ軸挿入部との当接面のいずれか一方には、ヒンジ軸の軸方向の隙間を軽減するための突起が設けられる構成とする。
【００１０】
これにより、ヒンジ部が複数の部品によって構成されている場合であっても、突起によってヒンジ部の寸法差の大きい部分の軸方向のクリアランスを吸収できるため、第１の筐体と第２の筐体との間でのヒンジ部におけるガタツキが小さくなる。
【００１１】
第２の発明では、上記ヒンジ軸は、軸本体と、外側軸部と、内側軸部とを備え、該外側軸部と内側軸部との少なくとも一方が上記軸本体を中心に回動自在に構成され、
上記内側軸部は、その内側に拡縮自在な係止爪を有し、該係止爪が第１及び第２ヒンジ軸挿入部に挿入されたのち、拡がってそのヒンジ側内側当接面が第２ヒンジ軸挿入部の第２挿入部側当接面に当接し、
上記外側軸部は、上記係止爪のヒンジ側内側当接面が第２ヒンジ軸挿入部当接面に当接した状態で、第１ヒンジ軸挿入部の第１挿入部側当接面に当接するヒンジ側外側当接面を有し、
上記ヒンジ側内側当接面、第２挿入部側当接面、ヒンジ側外側当接面及び第１挿入部側当接面のいずれか１カ所に上記突起が設けられる構成とする。
【００１２】
これにより、いずれかの当接面にヒンジ軸の軸方向の隙間を軽減する突起を設けることで、第１の筐体と第２の筐体との間でのヒンジ部におけるガタツキが小さくなる。
【００１３】
第３の発明では、上記第１ヒンジ軸挿入部には、半径方向内側に膨出し、上記第１挿入部側当接面が外側端部に形成された膨出部が設けられ、
上記外側軸部の外周面には、上記膨出部が挿入されるように凹陥され、上記ヒンジ側外側当接面を外側壁面に有する外側軸部側凹部が形成され、
上記膨出部が上記外側軸部側凹部に挿入された状態で、外側軸部と第１ヒンジ軸挿入部とが回転不能とする。
【００１４】
これにより、外側軸部と第１ヒンジ軸挿入部とを回転不能とするための外観より見えない部分に突起が設けられているので、美観を損なわない。また、両端の第１ヒンジ軸挿入部に突起を設けることで、回転摩擦のバランスがとれ、第１の筐体と第２の筐体との間での開閉がスムーズとなる。
【００１５】
第４の発明では、上記第１ヒンジ軸挿入部と第２ヒンジ軸挿入部との間に常に隙間をもって第１の筐体と第２の筐体とが開閉されるように構成されている。
【００１６】
これにより、第１の筐体の第１ヒンジ軸挿入部以外で摩擦が生じないため、複雑な回転摩擦がなくなり、大量生産に適す。
【００１７】
第５の発明では、上記第１ヒンジ軸挿入部と第２ヒンジ軸挿入部との間の隙間には、摩擦抵抗を軽減するためのシートが挿入される構成とする。
【００１８】
これにより、第１ヒンジ軸挿入部と第２ヒンジ軸挿入部との間の隙間の見映えをよくしながら、第１の筐体と第２の筐体がスムーズに開閉される。
【００１９】
第６の発明では、上記突起は、上記ヒンジ軸の半径方向に延びるように設けられている。
【００２０】
これにより、第１の筐体と第２の筐体との回転方向に直行する方向のガタツキ及び捩れ方向のガタツキが小さくなる。
【００２１】
第７の発明では、上記突起は、上記第１ヒンジ軸挿入部に一体に形成されている。
【００２２】
これにより、突起を別部品として設ける必要がなく、部品点数が増加して組立工数が増加するようなことはない。
【００２３】
第８の発明では、上記突起は、樹脂成形品で形成されている。
【００２４】
これにより、突起が適当に撓むので、不要な摩擦抵抗を生むことなく、第１の筐体と第２の筐体との間でのヒンジ部におけるガタツキが小さくなる。また、突起を容易に一体成形することも可能となる。
【００２５】
第９の発明では、上記第１の筐体には、上記第２ヒンジ軸挿入部に挟まれるように内側筒部が形成されている。
【００２６】
これにより、上記第２ヒンジ軸挿入部と上記内側筒部とに第１の筐体と第２の筐体との間をつなぐ部材を設けることが可能となる。
【００２７】
第１０の発明では、上記第２ヒンジ軸挿入部と上記内側筒部とには、第１の筐体と第２の筐体との間を電気的につなぐフレキシブル基板が挿入されている。
【００２８】
これにより、第１の筐体２と第２の筐体３との開閉に伴い伸縮するので、第１の筐体と第２の筐体と開閉操作を阻害せず、また、開閉操作により、フレキシブル基板が損傷することはない。
【００２９】
第１１の発明では、上記突起は、断面が三角形とする。
【００３０】
これにより、先端が変形し易いので、第１の筐体と第２の筐体との開閉時に抵抗となりにくい。
【００３１】
第１２の発明では、上記突起は、断面が半円とする。
【００３２】
これにより、第１の筐体と第２の筐体との開閉時に突起が抵抗となりにくいので、滑らかに開閉される。
【００３３】
第１３の発明では、上記ヒンジ軸が挿入された後の第１ヒンジ軸挿入部の開口部は、第１の筐体の側面を覆うサイドカバーによって覆われている。
【００３４】
これにより、外観の見映えが向上する。
【００３５】
第１４の発明では、折畳み式携帯通信機器は、携帯電話機とする。
【００３６】
これにより、第１の筐体と第２の筐体との間でのヒンジ部におけるガタツキが小さく、操作性のよい携帯電話機の大量生産が可能となる。
【発明の効果】
【００３７】
以上説明したように、本発明によれば、ヒンジ部にヒンジ軸の軸方向の隙間を軽減するための突起を設けたことにより、第１の筐体と第２の筐体とのスラスト方向及び捩れのガタツキが小さくなり、品質の向上を図ることができる。
【発明を実施するための最良の形態】
【００３８】
本発明の実施の形態を図面に基づいて詳細に説明する。
【００３９】
図１は、本発明の実施形態に係る折畳み式携帯通信機器としての折畳み式携帯電話の開いた状態の斜視図である。図２は閉じた状態の斜視図である。
【００４０】
図１に示すように、携帯電話機１は、第１の筐体２と第２の筐体３とがヒンジ部５によって折畳み開閉自在に連結されている。第１の筐体２の表面側には、主として、液晶表示部４、受話部６等が設けられている。第２の筐体３の表面側には、主として、送話部７、情報を入力するための情報入力ボタン８、機能ボタン９、イヤホンマイク挿入部１７、充電端子部１８等が設けられ、その内部には電池（図示しない）が設けられている。
【００４１】
図２において、第１の筐体２の裏面側には、サブ液晶表示部１０及びオーディオボタン１１，１２，１３，１４等が設けられている。これらのボタンは、１１が巻き戻しボタン、１２が再生ボタン、１３が早送りボタン、１４がメニューボタンで、音楽やラジオを聴くときには、第１の筐体２と第２の筐体３とを閉じた状態で、オーディオボタン１１，１２，１３，１４の操作によってスピーカ１９より聴くことができるようになっている。
【００４２】
そして、通話時には、第１の筐体２と第２の筐体３とを閉じた状態から、サブ液晶表示部１０に表示された相手を確認した後、第１の筐体２と第２の筐体３とを開いて通話するように構成されている。また、メール送信する場合には、第１の筐体２と第２の筐体３とを開き、情報入力ボタン８によって情報を入力して送信したり、メールを受信した場合は、第１の筐体２と第２の筐体３とを開き、液晶表示部４に表示された情報を見るようになっている。
【００４３】
図３に示すように、第２の筐体３の裏面側には、電池蓋１５、カメラ部１６等が設けられている。
【００４４】
図４は、図２におけるIV−IV線断面である。図１にも示すように、第１の筐体２の幅方向両端には、第１の筐体２と第２の筐体３との開閉操作の回転中心となるヒンジ軸４０が挿入される開口部２３を有した第１ヒンジ軸挿入部２２が設けられている。この第１ヒンジ軸挿入部２２は、樹脂成形品となっている。これら左右の第１ヒンジ軸挿入部２２に挟まれた中間位置に所定の隙間を空けて内側筒部２７が形成されている。一方、第２の筐体３には、上記左右の第１ヒンジ軸挿入部２２の内側に隣接するように左右の第２ヒンジ軸挿入部２４が立設されている。
【００４５】
左側の第２ヒンジ軸挿入部２４は、右側の第２ヒンジ軸挿入部２４よりも幅が広くなっている。そして、第１の筐体２と第２の筐体３との間で信号を伝達するフレキシブル基板２９は、略中央の内側筒部２７から左側第２ヒンジ軸挿入部２４を通っている。このフレキシブル基板２９は、第１の筐体２と第２の筐体３との開閉に伴い伸縮するので、外形はＳ字形状で１回転した状態で結合されている。なお、図面を見易くするために部材の断面を表すハッチングは適度に省略している。また、ヒンジ軸４０の内部構造は省略している。
【００４６】
このように、上記ヒンジ部５は、上記ヒンジ軸４０、左右の第１ヒンジ軸挿入部２２、内側筒部２７及び左右の第２ヒンジ軸挿入部２４で構成されている。
【００４７】
図５に、ヒンジ軸４０を第１の筐体２の右側第１ヒンジ軸挿入部２２に挿入する前の状態を示している。図６にも示すように、第１ヒンジ軸挿入部２２の半径方向内側の面には、ヒンジ部５の軸方向に延びる複数のリブ３２が形成されている。このリブ３２の天面３２ａは平坦な面であるが、先端は傾斜面３２ｂとなってヒンジ軸４０の挿入が容易になるようになっている。
【００４８】
また、第１ヒンジ軸挿入部２２には、半径方向内側に膨出する膨出部３４が軸中心に対して対向する位置に形成されている。同様に軸中心に対して対向する位置に平坦な回転規制部３５が形成されている。膨出部３４の外側端部には、第１挿入部側当接面２２ａが形成されている。
【００４９】
一方、図５に示すように、上記ヒンジ軸４０は、軸本体４１と、外側軸部４２と、内側軸部４３とを備え、内側軸部４３が軸本体４１を中心に回動自在に構成されている。なお、詳細は図示しないが、外側軸部４２及び内側軸部４３の内部には、第１の筐体２と第２の筐体３とを所定の角度で開閉可能なように、その回転を規制するバネ機構が設けられている。
【００５０】
図４にも示すように、上記内側軸部４３は、その内側に半径方向に拡縮自在な係止爪４４を有している。この係止爪４４が第１及び第２ヒンジ軸挿入部２２，２４に挿入された後、拡がってそのヒンジ側内側当接面４４ａが第２ヒンジ軸挿入部２４の第２挿入部側当接面２４ａに当接するように構成されている。また、内側軸部４３には、第２ヒンジ軸挿入部２４に形成された第２回転規制部（図示せず）に当接する内側平坦面４８が形成されている。
【００５１】
上記外側軸部４２の外周には、上記膨出部３４が挿入される外側軸部側凹部４６が半径方向内側に向かって凹陥されている。この外側軸部側凹部４６の外側壁面には、膨出部３４が該外側軸部側凹部４６に挿入された状態で該膨出部３４が当接するヒンジ側外側当接面４６ａが形成されている。また、上記第１ヒンジ軸挿入部２２の回転規制部３５に当接する平坦な外側平坦面４５が形成されている。さらに、内側軸部４３の外周には、膨出部３４が挿通される内側軸部側凹部４７が凹陥されている。
【００５２】
左側及び右側第２ヒンジ軸挿入部２４が、左側及び右側第１ヒンジ軸挿入部２２及び内側筒部２７に挟まれた状態で両側から上記ヒンジ軸４０がそれぞれ挿入されるようになっている。ヒンジ軸４０を第１ヒンジ軸挿入部２２及び第２ヒンジ軸挿入部２４に挿入し、膨出部３４が内側軸部側凹部４７を通過した後、外側軸部側凹部４６に挿通され、係止爪４４を第２ヒンジ軸挿入部２４の第２挿入部側当接面２４ａに引っ掛けて第１の筐体２と第２の筐体３とが開閉自在に構成されている。
【００５３】
そして、上記ヒンジ軸４０を挿入した状態で、第２ヒンジ軸挿入部２４のリブ３２の天面３２ａが外側軸部４２の外周面４２ａと当接すると共に、外側平坦面４５が第１ヒンジ軸挿入部２２の回転規制部３５に当接する。また、内側軸部４３の内側平坦面４８が第２ヒンジ軸挿入部２４の第２回転規制部に当接する。このようにして、外側軸部４２が第１の筐体２の第１ヒンジ軸挿入部２２内で回転しないようにし、且つ内側軸部４３が第２の筐体３の第２ヒンジ軸挿入部２４で回転しないようにしている。
【００５４】
また、図１乃至図３に示すように、左右の第１ヒンジ軸挿入部２２の開口部２３にヒンジ軸４０が挿入された状態でその上からサイドカバー２６によって覆われるようになっている。このサイドカバー２６により、見映えがよくなっている。
【００５５】
図４に示すように、左側第２ヒンジ軸挿入部２４と内側筒部２７との間には、隙間ａ（例えば、ａ＝０．１５ｍｍ）が設けられ、内側筒部２７と右側第２ヒンジ軸挿入部２４との間には、隙間ｂ（例えば、ｂ＝０．１５ｍｍ）が設けられている。この隙間ａ，ｂを設けることで、接触を防ぎ、回転によって塗装の粉が発生するのが防止されるようになっている。上記左右の第１ヒンジ軸挿入部２２と第２ヒンジ軸挿入部２４との間の隙間ｄには、それぞれヒンジシート３１（例えば、厚みβ＝０．１ｍｍ）が挿入されている。このヒンジシート３１により、第１ヒンジ軸挿入部２２と第２ヒンジ軸挿入部２４とが互いに回転するために、摩擦抵抗が減少するよう構成されている。
【００５６】
上記ヒンジ軸４０の嵌合は、ヒンジ軸４０におけるヒンジ側内側当接面４４ａとヒンジ側外側当接面４６ａとの間の寸法と右側第２ヒンジ軸挿入部２４の第２挿入部側当接面２４ａと右側第１ヒンジ軸挿入部２２の第１挿入部側当接面２２ａとの間の寸法にて行われる。しかしながら、ヒンジ軸４０におけるヒンジ側内側当接面４４ａとヒンジ側外側当接面４６ａとの間の寸法αは寸法差が大きく、例えば、α＝７．８〜８．１５ｍｍとバラついている。
【００５７】
そして、図７に拡大して示すように、左右の第１ヒンジ軸挿入部２２の第１挿入部側当接面２２ａ（膨出部３４）には、外側に向かって突出する断面三角形の突起３０が形成されている。この突起３０は、ヒンジ軸４０の半径方向に延び、樹脂製の第１ヒンジ軸挿入部２２に一体に形成されている。図８に示すように、この突起３０の高さを第１ヒンジ軸挿入部２２の第１挿入部側当接面２２ａとヒンジ側外側当接面４６ａとの間の隙間よりも高くし、嵌合させるときには、突起３０の先端が弾性変形して凹むようにしている。こうすることにより、隙間が大きければ、突起３０の先端が少し弾性変形し、隙間が小さければ、突起３０の先端が多く弾性変形するようにしている。この山形の突起３０が、ヒンジ軸４０のヒンジ側外側当接面４６ａに当たるようになっている。
【００５８】
したがって、本実施形態に係る携帯電話機１によると、ヒンジ部５にヒンジ軸４０の軸方向の隙間を軽減するための突起３０を設けたことにより、品質の向上を図ることができる。第１の筐体２と第２の筐体３とのスラスト方向及び捩れのガタツキが小さくなり、品質の向上を図ることができる。
【００５９】
（その他の実施形態）
本発明は、上記実施形態について、以下のような構成としてもよい。
【００６０】
すなわち、上記ヒンジ側内側当接面４４ａ、第２挿入部側当接面２４ａ、ヒンジ側外側当接面４６ａ及び第１挿入部側当接面２２ａのいずれか１カ所に突起３０を設けてもよい。要はヒンジ軸４０の軸方向の隙間を軽減するために、軸方向に突出する突起３０を第２ヒンジ軸挿入部２４側やヒンジ軸４０側に設けてもよく、この場合も同様の作用効果が得られる。
【００６１】
上記実施形態では、突起３０を断面三角形のものとしたが、断面が半円形のものであってもよい。この場合には、第１の筐体と第２の筐体との開閉時に突起が抵抗となりにくいので、滑らかに開閉される。
【００６２】
上記実施形態では、左右の第１ヒンジ軸挿入部２２に突起３０を設けたが、いずれか一方にのみ突起３０を設けてもよい。
【００６３】
上記実施形態では、第１の筐体２の左右に第１ヒンジ軸挿入部２２を設け、第２の筐体３の左右に第２ヒンジ軸挿入部２４を設けたが、逆に、第２の筐体３の左右に第１ヒンジ軸挿入部２２を設け、第１の筐体２の左右に第２ヒンジ軸挿入部２４を設けてもよい。
【００６４】
上記実施形態では、内側軸部４３を軸本体４１を中心に回動自在に構成したが、外側軸部４２を軸本体４１を中心に回動自在に構成してもよく、内側軸部４３及び外側軸部４２を軸本体４１を中心に回動自在に構成してもよい。
【００６５】
上記実施形態では、第１の筐体２に内側筒部２７を設けたが、この内側筒部２７がない構成でも構わない。
【００６６】
上記実施形態では、折畳み式携帯通信機器として携帯電話機の例を示したが、折畳み可能で且つ携帯可能なＰＨＳ、ＰＣ、モバイルツール等でも本発明は適用可能である。
【００６７】
なお、以上の実施形態は、本質的に好ましい例示であって、本発明、その適用物や用途の範囲を制限することを意図するものではない。
【産業上の利用可能性】
【００６８】
以上説明したように、本発明は、携帯電話機等の、第１の筐体と第２の筐体とを開閉自在に連結した折畳み式携帯通信機器について有用である。
【図面の簡単な説明】
【００６９】
【図１】本発明の実施形態に係る携帯電話機の開いた状態を示す右方向からの斜視図である。
【図２】本発明の実施形態に係る携帯電話機の閉じた状態を示す右方向からの斜視図である。
【図３】本発明の実施形態に係る携帯電話機の開いた状態の背面右方向からの斜視図である。
【図４】図２のIV−IV線断面図である。
【図５】本発明の実施形態に係る携帯電話機におけるヒンジ軸の挿入前を示す拡大斜視図である。
【図６】第１ヒンジ軸挿入部を拡大して示す側面図である。
【図７】山形の突起を示す拡大斜視図である。
【図８】図４のＡ部を示す拡大断面図である。
【符号の説明】
【００７０】
１      折畳み式携帯電話機（携帯通信機器）
２      第１の筐体
３      第２の筐体
５      ヒンジ部
２２      第１ヒンジ軸挿入部
２２ａ    第１挿入部側当接面
２３      開口部
２４      第２ヒンジ軸挿入部
２４ａ    第２挿入部側当接面
３０      突起
３１      ヒンジシート（シート）
３４      膨出部
４０      ヒンジ軸
４１      軸本体
４２      外側軸部
４３      内側軸部
４４      係止爪
４４ａ    ヒンジ側内側当接面
４６      外側軸部側凹部
４６ａ    ヒンジ側外側当接面
ｄ      隙間
【図１】
0004446952.tif 000002
【図２】
0004446952.tif 000003
【図３】
0004446952.tif 000004
【図４】
0004446952.tif 000005
【図５】
0004446952.tif 000006
【図６】
0004446952.tif 000007
【図７】
0004446952.tif 000008
【図８】
0004446952.tif 000009